(57)【要約】      （修正有）【課題】照明、点火機能を一体化したコンパクトな電子ライターを提供する。【解決手段】ケース１とケース内に設置された回路基板２とを備え、回路基板には加熱線６が設けられる。ケースには点火孔１０１が設けられ、ケースの一端には照明ライト７が設けられ、ケースにはスライドカバー３の運動方向と同方向で、水平溝により連通される二つのガイドシュート１０３が設けられ、スライドカバーには切り替えシュートが設けられる。切り替えシュート内にはスイッチ切り替えスライド板４に固定された切り替えブロック４０２が設けられ、切り替えブロックには導電板４０３が設けられ、加熱線と照明ライトのスイッチ回路を閉路するためのスイッチ接点はそれぞれ切り替えブロックが二つのガイドシュートに沿って移動する時の移動軌道に設置されている。【選択図】図１
0003179134.tif 000002
【実用新案登録請求の範囲】
【請求項１】
照明装置を備えた電子ライターであって、
ケース（1）とケース（1）内に設置された回路基板（2）とを備え、回路基板（2）には加熱線（6）が設けられ、ケース（1）には加熱線（6）と対応する点火孔（101）が設けられており、
その特徴は、
ケース（1）の一端には照明ライト（7）が設けられ、加熱線（6）と照明ライト（7）とはそれぞれ回路基板（2）における対応するスイッチ回路を介してケース内（1）の電池に接続され、ケース（1）の外表面にはスライドカバー（3）が設けられ、ケース（1）にはスライドカバー（3）の運動方向と同じ方向の二つのガイドシュート（103）が設けられ、二つのガイドシュート（103）は一つの水平溝（104）により連通され、スライドカバー（3）には水平溝（104）と大きさ及び方向が同様の切り替えシュート（401）が設けられ、切り替えシュート（401）内には切り替えブロック（402）が設けられ、切り替えブロック（402）はスライドカバー（3）の外側に設置されたスイッチ切り替えスライド板（4）に固定され、切り替えブロック（402）には導電板（403）が設けられ、加熱線（6）と照明ライト（7）のスイッチ回路を閉路するためのスイッチ接点（201）はそれぞれ切り替えブロック（402）が二つのガイドシュート（103）に沿って移動する時の移動軌道に設置され、スライドカバー（3）には貫通孔（303）が設けられ、スライドカバー（3）が加熱線（6）のスイッチ回路の閉路位置までスライドした時、貫通孔（303）は点火孔（101）と重なり合い、スライドカバー（3）の内側面には二つの固定ブロック（301）が設けられ、二つの固定ブロック（301）はそれぞれ二つのガイドシュート（103）内に設置され、固定ブロック（301）におけるケース内に位置する一端には押し板（302）が設けられ、ケース（1）内部には押し板（302）と対向する停止ブロック（102）が設けられ、押し板（302）と停止ブロック（102）の間にはスプリング（8）が設けられ、スプリング（8）がリセット状態にある時、スライドカバー（3）は点火孔（101）を遮蔽する、
照明装置を備えた電子ライター。
【請求項２】
前記ケース（1）内部の両側壁にはそれぞれ停止ブロック（102）が設けられ、両側の停止ブロック（102）と押し板（302）の間にはそれぞれスプリング（8）が設けられている、
ことを特徴とする請求項1に記載の照明装置を備えた電子ライター。
【請求項３】
前記回路基板（2）にはさらに充電回路（9）と充電インターフェース（10）が設けられている、
ことを特徴とする請求項1に記載の照明装置を備えた電子ライター。
【請求項４】
照明ライト（7）スイッチ回路のスイッチ接点（201）に対しガイドシュート（103）の溝壁にはさらにロック用スロット（105）が設けられ、ロック用スロット（105）の設置場所は導電板（403）が照明ライト（7）スイッチ回路のスイッチ接点（201）を閉路する時、切り替えシュート（402）がロック用スロット（105）内にスライドすることを保証し、ロック用スロット（105）の深さは切り替えシュート（402）がロック用スロット（105）内にスライドした後、照明ライト（7）スイッチ回路のスイッチ接点（201）が依然として閉路を維持することを保証する、
ことを特徴とする請求項1に記載の照明装置を備えた電子ライター。
【考案の詳細な説明】
【技術分野】
【０００１】
本考案は電熱を利用してタバコに点火する装置に関わり、具体的には照明装置を備えた電子ライターに関する。
【背景技術】
【０００２】
現在、大多数のライターは依然としてガスを燃料とするガスライターであり、この種のライターは可燃物・爆発物に属しているため、飛行機等で使用することができない。また、この種のガスライターは炎を利用しているため、風に弱く、風力がやや大きな野外では点火しにくく、不便である。このため、電熱を採用してタバコに点火する電子ライターが時運に応じて現れ、このような電子ライターは電流を使用して電熱線を発熱さケースことによりタバコに点火しているため、火炎がなく、気候条件の制限を受けず、使用するのに安全且つ便利である。今現在、個別の電子ライターで照明の機能を集積しているものも存在するが、構造設置の問題で、内部空間の利用率が低く、ライターの体積もやや大きく、携帯しにくい。
【考案の概要】
【０００３】
本考案が解決しようとする技術問題は、照明装置を備えた電子ライターを提供することで、一つスイッチでライターと照明機能を切り替えることができ、内部構造が簡単であるため占用空間が少なく、ライターをコンパクト化することができる。
【０００４】
上述した技術問題を解決するための本考案の技術方案は、照明装置を備えた電子ライターであって、ケースとケース内に設置された回路基板とを備えている。回路基板には加熱線が設けられ、ケースには加熱線と対応する点火孔が設けられ、ケースの一端には照明ライトが設けられている。加熱線と照明ライトはそれぞれ回路基板における対応するスイッチ回路を通じてケース内の電池に接続され、ケースの外表面にはスライドカバーが設けられ、ケースにはスライドカバーの運動方向と同じ方向の二つのガイドシュートが設けられている。二つのガイドシュートは一つの水平溝により連通され、スライドカバーには水平溝の方向及び大きさの何れも同様の切り替えシュートが設けられ、切り替えシュート内には切り替えブロックが設けられている。切り替えブロックはスライドカバーの外側に設置されたスイッチ切り替えスライド板に固定され、切り替えブロックには導電板が設けられている。加熱線と照明ライトのスイッチ回路を閉路するためのスイッチ接点はそれぞれ切り替えブロックが二つのガイドシュートに沿って移動する時の移動軌道に設置されている。スライドカバーには貫通孔が設けられ、スライドカバーが加熱線のスイッチ回路閉路位置までスライドした時、貫通孔は点火孔と重なり合う。スライドカバーの内側面には二つの固定ブロックが設けられ、二つの固定ブロックはそれぞれ二つのガイドシュート内に設置されている。固定ブロックにおけるケース内に位置する一端には押し板が設けられ、ケース内部には押し板と対向する停止ブロックが設けられ、押し板と停止ブロックの間にはスプリングが設けられ、スプリングがリセット状態にある時、スライドカバーは点火孔を遮蔽する。
【０００５】
前記ケース内部の二つの側壁には何れも停止ブロックが設けられ、両側の停止ブロックと押し板の間にはそれぞれスプリングが設けられている。
【０００６】
前記回路基板にはさらに充電回路と充電インターフェースが設けられている。
【０００７】
照明ライトスイッチ回路のスイッチ接点に対しガイドシュートの溝壁にはさらにロック用スロットが設けられ、ロック用スロットの設置場所は導電板が照明ライトスイッチ回路のスイッチ接点を閉路する時、切り替えシュートがロック用スロット内にスライドすることを保証し、ロック用スロットの深さは切り替えシュートがロック用スロット内にスライドした後、照明ライトスイッチ回路のスイッチ接点が依然として閉路を維持することを保証する。
【０００８】
本考案の有益な効果は、照明、点火機能を一体化し、一つスイッチでライターと照明機能を切り替え、切り替え機構が簡単、実用で、ライター内部の構造が簡単になり、占用空間が少ないため、ライターの体積を減少できる。
【図面の簡単な説明】
【０００９】
【図１】は本考案の構造概略図である。
【図２】はケース内部の構造概略図である。
【図３】はスライドカバー内側面の構造概略図である。
【図４】は図3のA-A断面図である。
【図５】は回路基板の構造概略図である。
【図６】はガイドシュートにおけるロック用スロットの設置方式図である。
【考案を実施するための形態】
【００１０】
以下、図面と具体的な実施例に合わせて、本考案を詳しく説明する。
【００１１】
照明装置を備えた電子ライターであって、ケース1とケース1内に設置された回路基板2とを備え、回路基板2には加熱線6が設けられ、ケース1には加熱線6と対応する点火孔101が設けられている。ケース1の一端には照明ライト7が設けられ、加熱線6と照明ライト7はそれぞれ回路基板2における対応するスイッチ回路を通じてケース1内の電池5に接続されている。ケース1の外表面にはスライドカバー3が設けられ、ケース1にはスライドカバー3の運動方向と同方向の二つのガイドシュート103が設けられ、二つのガイドシュート103は一つの水平溝104により連通されている。スライドカバー3には水平溝104の方向及び大きさの何れも同様の切り替えシュート401が設けられ、切り替えシュート401内には切り替えブロック402が設けられ、切り替えブロック402はスライドカバー3の外側に設置されたスイッチ切り替えスライド板4に固定されている。照明と点火機能を切り替える時、スイッチ切り替えスライド板4を押し動かすことにより、スライドカバー3が切り替えシュート401と水平溝104に沿って一つのガイドシュート103からもう一つのガイドシュート103内にスライドするようにする。切り替えブロック402には導電板403が設けられ、加熱線6と照明ライト7のスイッチ回路を閉路するためのスイッチ接点201はそれぞれ切り替えブロック402が二つのガイドシュート103に沿って移動する時の移動軌道に設置されている。切り替えブロック402がスイッチ接点201の位置までスライドした時、導電板403はスイッチ接点201を閉合することで、加熱線6又は照明ライト7のスイッチ回路が導通するようにする。スライドカバー3には貫通孔303が設けられ、スライドカバー3が加熱線6のスイッチ回路の閉路位置までスライドした時、貫通孔303は点火孔101と重なり合う。スライドカバー3の内側面には二つの固定ブロック301が設けられ、二つの固定ブロック301はそれぞれ二つのガイドシュート103内に設置され、固定ブロック301におけるケース内に位置する一端には押し板302が設けられ、ケース1内部には押し板302と対向する停止ブロック102が設けられ、押し板302と停止ブロック102の間にはスプリング8が設けられ、スプリング8がリセット状態にある時、スライドカバー3は点火孔101を遮蔽する。
【００１２】
ガイドシュート103の長さは、好ましくは固定ブロック301がガイドシュート103の最末端にまでスライドした時、導電板403がちょうどスイッチ接点201を閉合できることを保証することにより、使用時の位置決めに利便を図る。
【００１３】
スライドのバランスを保証するため、ケース1内部の二つの側壁には何れも停止ブロック102が設けられ、両側の停止ブロック102と押し板302の間にはそれぞれスプリング8が設けられている。スプリングの位置を保持するため、押し板302にカバープレートを設置することができ、スプリングをカバープレートとケース内壁の間の空間内に制限する。
【００１４】
前記回路基板2にはさらに充電回路9と充電インターフェース10が設けられている。充電インターフェース10はUSBインターフェースを採用することができるが、他の基準の充電インターフェースを採用することもできる。
【００１５】
照明機能を使用する時に、スライドカバー3を放した後照明ライトの回路が依然として導通を維持できるようにするため、照明ライト7スイッチ回路のスイッチ接点201に対しガイドシュート103の溝壁にはさらにロック用スロット105を設けることができ、ロック用スロット105の設置場所は導電板403が照明ライト7スイッチ回路のスイッチ接点201を閉路する時、切り替えシュート402がロック用スロット105内にスライドすることを保証し、ロック用スロット105の深さは切り替えシュート402がロック用スロット105内にスライドした後、照明ライト7スイッチ回路のスイッチ接点201が依然として閉路を維持することを保証する。
【符号の説明】
【００１６】
1  ケース
101  点火孔
102  停止ブロック
103  ガイドシュート
104  水平溝
105  ロック用スロット
2  回路基板
201  スイッチ接点
3  スライドカバー
301  固定ブロック
302  押し板
303  貫通孔
4  スイッチ切り替えスライド板
401  切り替えシュート
402  切り替えブロック
403  導電板
5  電池
6  加熱線
7  照明ライト
8  スプリング
9  充電回路
10  充電インターフェース
【図１】
0003179134.tif 000003
【図２】
0003179134.tif 000004
【図３】
0003179134.tif 000005
【図４】
0003179134.tif 000006
【図５】
0003179134.tif 000007
【図６】
0003179134.tif 000008